Podtech/llm-jp-corpus-v4-ja_patent huggingface dataset:
(57)【要約】【課題】単純な構造を用いて、外観を良くし、コストをも抑制し且つ、部品を傷つける事なく簡単に着脱ができ、確実に信頼性の高い部品連結装置を提供することを目的としている。【解決手段】ジョイントピンは弾力性のある細長いピンとその両側先端に堅いピンがついている。収納空間は中央部が膨らんでおり、その反対側に差し込み口がある。差し込み口から外部圧力を加えて行くと、ジョイントピン中央部は湾曲してジョイントピン先端部が部品内部に収納される。これにより、部品の着脱が簡単に行うことができる。【選択図】  図１
2004275695.tif 000002
【特許請求の範囲】
【請求項１】
ジョイントピン収納空間は中央部が広がっており、外部圧力の差し込み口がある。ジョイントピンは弾力性のある細長いピンの両側先端に太くて堅いピンがついている。外部圧力の差し込み口より、ジョイントピンの中央部に向かい圧力を加えて行くと、弾力性のある細長いピンは湾曲してジョイントピン両側先端が収納空間内部に収納され、もう一方の部品のジョイントピン接続穴に、容易に着脱することができることを特徴とする部品連結装置である。
【発明の詳細な説明】
【０００１】
【発明の属する技術分野】
本発明は、ジョイントピンによる部品と部品の着脱、及び腕時計などのケースと部品との着脱を容易にするための部品連結装置に関する。
【０００２】
【従来の技術】
従来の腕時計などの部品連結装置には、バネ棒を施したものがある（例えば、特許文献１参照）。以下、その図７により従来の部品連結装置について説明する。図７を見ても分かるように、バネ棒は小さい部品の中に複雑な構造をしている。そのため製造工程も複雑であり、コストも高くなってしまう。そのバネ棒の両側先端は小さな突起部であり、着脱がうまくいかない場合もある。
【特許文献１】特開平０８−３３２１０６号公報（第６頁、図７）
【０００３】
【発明が解決しようとする課題】
単純な構造を用いて外観を良くしコストをも抑制し且つ、傷つける事なく簡単に着脱ができ確実に信頼性の高い部品連結装置を提供することを目的としている。
【０００４】
【課題を解決するための手段】
上記の目的を達成するために、本発明のジョイントピンによる腕時計などの部品連結装置は、ジョイントピン収納空間の中央部が広がっており、それと反対側に外部圧力の差し込み口がある。ジョイントピンは弾力性のある細長いピンの両側先端に、太くて堅いピンがついている。外部圧力の差し込み口よりジョイントピンの中央部に向かい、小型マイナスドライバーなどにより圧力を加えて行くと、弾力性のある細長いピンは湾曲してジョイントピン両側先端が収納空間内部に収納され、もう一方の部品にあるジョイントピン接続穴と、容易に着脱することができることを特徴としている。
【０００５】
また、本発明のジョイントピンによる腕時計などの部品連結装置においては、部品と部品を連結させる場合ジョイントピン接続穴は、ケースと部品、または部品と部品との内側内部に隠れるように設けてある。したがって外観を損なう事なく、また傷をつける事なく腕に装着することができる。また、ジョイントピンはコスト面においても優れ、単純な構造を用いており、弾力性のある細長いピンの両側先端に太くて堅いピンがついている。この太くて堅いピンにより丈夫で安定した信頼性の高い部品連結装置を提供することができる。また、部品と部品が確実に連結することができる。さらに、着脱方法は小型マイナスドライバーなどにより、押し込むだけで簡単に行うことができる。
【０００６】
【発明の実施の形態】
図１と図２と図３は、本発明のジョイントピンによる腕時計などの部品連結装置において、最良な実施の形態を示し、図１は部品と部品を連続に接続するための構造を示しており、図２と図３はジョイントピンの移動形態を示した説明図である。以下、このジョイントピンによる腕時計などの部品連結装置の説明に入る。
【０００７】
図１のジョイントピンによる腕時計などの連結装置では、図１ｂのジョイントピン接続穴２は部品内側の両方途中まで穴が空いており、図１ａのジョイントピン１の両側先端部とが連結する場所である。図１ａのジョイントピン収納空間４は、ジョイントピン１が組み込みやすいように貫通しており、中央部には外部圧力を加えるときの差し込み口３が設けられている。
【０００８】
図１に示したジョイントピンによる腕時計などの連結装置は、以上のように構成されており、図１ａと図１ｂの各々の部品は連続して接続して行くことができる。また、腕時計のケースと部品もこのようにして連結することができる。
【０００９】
図２のジョイントピンによる腕時計などの連結装置では、図１ａのＡより切断した場合の側面断面図である。ジョイントピン収納空間中央部７が膨らんでおり、その反対側は差し込み口３とつながっている。図１ａのジョイントピン１は二つの部品構成からなり、弾力性のある細長いジョイントピン中央部６と堅いピンのジョイントピン先端部５からなる。外部圧力のないときジョイントピン先端部５は図１ａのジョイントピン収納空間４から突き出ており、小形マイナスドライバー１０により差し込む前の形態を示している。
【００１０】
図３のジョイントピンによる腕時計などの連結装置では、小形マイナスドライバー１０を使い差し込み口３より圧力を加え、ジョイントピン中央部６が湾曲している場面９である。これによりジョイントピン先端部５が収納される場面８になり、移動形態は完了する。
【００１１】
上記のように、図２と図３はジョイントピン先端部５の移動により部品と部品の接続、および離脱を行うことができる。
【００１２】
【発明の効果】
以上説明したように、本発明のジョイントピンによる腕時計などの連結装置は、部品の内側内部に隠れるように設けてあり、外観も良く、着脱のときに傷つけることもない。したがって、単純な構造のためコストも抑制し、信頼性の高い部品連結装置を提供することができる。
【図面の簡単な説明】
【図１】本発明のジョイントピンによる腕時計などの連結装置の構造説明図である。
【図２】本発明のジョイントピンによる腕時計などの連結装置の側面断面図であり、外部圧力を受ける前である。
【図３】本発明のジョイントピンによる腕時計などの連結装置の側面断面図であり、外部圧力を受けている場面である。
【符号の説明】
１  ジョイントピン
２  ジョイントピン接続穴
３  差し込み口
４  収納空間
５  ジョイントピン先端部
６  ジョイントピン中央部
７  収納空間中央部
８  ジョイントピン先端部５が収納される場面
９  ジョイントピン中央部６が湾曲している場面
１０  小形マイナスドライバー
【図１】
2004275695.tif 000003
【図２】
2004275695.tif 000004
【図３】
2004275695.tif 000005
(57)【要約】      （修正有）【課題】海や山岳で遭難した時に、衣服にレーダーで探索する機能を付与する。【解決手段】着衣或いは所持品に１ｍ２以上のレーダー断面積を持たせるために、金属メッキ繊維を使用して導電性の布帛を作成し、それを取り付けることによりレーダー探索を可能にする方法である。導電性の布帛は電気抵抗が３Ω／ｃｍ以下であり耐洗濯性のある柔らかい２次元物である。平素より着衣や所持品に取り付けて一体化しておくことにより万一の遭難に備えるものである。【選択図】図１
2004275699.tif 000002
【特許請求の範囲】
【請求項１】
海上或いは陸上での遭難時に探索しやすいように衣服或いは所持品に１ｍ２以上のレーダー断面積を有する布帛を存在せしめる方法
【請求項２】
ジャケットやパンツ或いはリュックサックの表面に、金属メッキ繊維からなる１ｍ２以上のレーダー断面積を有する布帛を取り付けるレーダー反射機能の付与方法
【請求項３】
ジャケットの身ごろ或いは袖に銀メッキナイロン繊維からなる１ｍ２以上のレーダー断面積を有する布帛を縫い付けるか面ファスナーで取り付けるレーダー反射機能の付与方法
【請求項４】
銀メッキナイロン繊維を用いた電気抵抗３Ω／ｃｍ以下の導電性布帛を使用した１ｍ２以上のレーダー断面積を有する衣服或いは所持品
【発明の詳細な説明】
【０００１】
【発明の属する技術分野】
本発明は、海上や山岳で遭難した時に探索しやすいように人間にレーダー反射機能を付与する方法に関するものである。
【０００２】
【従来の技術】
従来の技術としては、救命品それ自体の全部又は一部を探索レーダー用の反射板とする救命品は、特開平６−３４３００８で公開されている。すなわち、救命いかだの天幕或いは救命胴衣の一部を金属で被覆された複合素材として、電波反射機能を持たせたものである。救命のための商品であり通常のジャケットとリュックサックで山に登り遭難した場合には対応できてないのが現状である。従来は、遭難した多くの場合の事例で見られるように、夜間の捜索は中止し、夜明けを待って捜索を再開するのが常であり救助できない事例が多い。
【０００３】
【発明が解決しようとする課題】
救命いかだ或いは救命胴衣の一部に反射機能を持たせたものは海上での遭難対策の商品であり、山岳等陸上での遭難時を含めて使用できる商品ではなかった。さらに、ゴム類や塩ビの塗布層によって固い布帛となっており、外衣の上に救急時に着用するものや天幕には差し支えないが、平素活動する衣服にはなりにくい欠点があった。本発明は雪崩れに遭った遭難者を夜間でも捜索できるようにするために、着用している衣服或いは所持しているものに電波反射能を付与する技術である。子供に衣服として着用させるておけば、山中で行方不明になった場合にも、ヘリコプター探索が可能になる。
【０００４】
【課題を解決するための手段】
本発明では、通常の衣服や所持品にレーダー反射機能を付与するため、一定面積のレーダー断面積を有する布帛を後つけできる仕組みによりこの課題を解決した。すなわち、山岳スポーツに着用するアノラックの背中に縫い付けるのみでレーダー反射機能を持たせるものである。
海上或いは雪山で遭難した時のレーダー探査の実験より１ｍ２以上のレーダー断面積が必要であることを認め、金属メッキ繊維の使用によりそれ以上の布帛を開発した。
【０００５】
金属メッキ繊維としては、色々のものが使用できる。ナイロンに銅、ニッケル、銀等を５〜５０ｗｔ％メッキすることにより導電性が得られるが、これらの繊維には、ミリ波の電波反射能がある。繊維素材としてもナイロンに限定するものではなく、メッキ膜に伸びがないものでは、より伸び率の低い繊維にメッキした方が望ましいことも有る。使用時の伸縮によりクラックが入らない方が性能維持が良好である。
【０００６】
このミリ波の電波反射能があるメッキ繊維を使用して二次元物にする場合にも、不織布、編地、織物等色々の商品形態があるがいずれも効果があった。
レーダー断面積σは、以下の式によって計算できる。
σ＝４ＩＩＡ２／λ２−−−−−  （１）
ここで、ＩＩは３．１４
Ａは金属メッキ繊維で構成する布帛の断面積
λはミリ波、例えば３ｃｍのレーダーで０．０３ｍ
【０００７】
【発明の実施の形態】
本発明の実施形態を図面で説明する。図１が本発明の一つの実施態様である。１は登山や釣りに使用するアノラックである。その前身ごろに、２で示すように、重量パーセントで３０％の銀をメッキしたナイロンを使用した電波反射機能を有する織物を面ファスナーで取り付けた。前身ごろでは左右に２枚の織物を取り付けた。たてと横の長さは３０ｃｍ×３０ｃｍである。背中の場合は１枚で取り付ければよい。この織物はアノラックと柔軟性において差はなく、取り付けても着用に違和感はない。銀メッキ繊維は耐洗濯性があり、汚れれば取り外して家庭洗濯機で洗濯できる。さらに本織物について電気抵抗を測定すると１．２Ω／ｃｍでありこの値は５０回の洗濯でもほぼ維持していた。
【０００８】
銀メッキ繊維の打ち込み数より１式で計算すると、銀メッキ繊維のカバー率１％としても１２００ｍ２のレーダー面積があった。この布帛を常に衣服に取り付けておくことにより万一の遭難事故が発生した場合にもレーダーによる探索を夜間でも可能にした。
【０００９】
図２は、登山用のザックの表面を示すものである。背負った表面を１で示すが、その上部に銀メッキナイロンの編地２を縫いつけた。２０ｃｍ×２０ｃｍのサイズである。１００％銀メッキ繊維の編地にすると、１０％のカバリング率で、レーダー断面積は１０ｍ２となった。このザックを背負っていると遭難しても夜間の探索が可能である。１ｍ程度の雪に埋もれて肉眼では発見できない状態でもレーダーでは探索できる。
【００１０】
【発明の効果】
海上と山岳を問わず万一遭難しても空からレーダー探索が可能になることは人命救助に大きい効果をもたらす。幼児が山で行方不明になった場合、大勢の人がくまなく探しても見つからないことがある。幾日も探索に費やすと命を落とすことになる。夜間でもヘリコプターによるレーダー探査ができることは救助につながり易い。
【図面の簡単な説明】
【図１】本発明のアノラックの前見ごろを示す模式図ある。
【符号の説明】
１：アノラック
２：銀メッキナイロン織物
【図２】本発明のザックの模式図である。
【符号の説明】
１：リュックサック本体
２：縫い付けた銀メッキナイロンの編地
【図１】
2004275699.tif 000003
【図２】
2004275699.tif 000004
(57)【要約】      （修正有）【課題】飛ばしたい距離に、ボールを落とし止める事が可能になる。グリーンを余りころがらない、アイアンと、カップにねらいを定めやすく、さらに、玉離れがよく、グリーンに左右されず、ミスが少なくなる。パターのゴルフクラブに関する。【解決手段】フェースとソール間に空間部を形成する。又はフェースを切り抜き、あるいは、ソールを切り抜いて、フェース１とソール間に空間部３を形成する。さらにその空間部より、ねらい溝をハ状に形成する。【選択図】なし【特許請求の範囲】
【請求項１】
フェースとソール間に空間部を形成する。又はフェース、あるいは、ソールを切り抜き、フェースとソール間に、空間部を形成する。
以上の如く構成されたゴルフクラブ
【請求項２】
ソールの空間部からねらい溝をハ状に形成する。
請求項１のゴルフクラブ
【発明の詳細な説明】
【０００１】
〔発明の属する技術分野〕
本発明は飛ばしたい距離にボールを落とし止める事が可能になる。グリーンを余りころがらないアイアンと、カップにねらいを定めやすく、さらに、玉離れがよく、グリーンに左右されずミスが少なくなるパターのゴルフクラブに関するものである。
【０００２】
〔従来の技術〕
従来のアイアンは一体で形成されてある為、打たれたボールに力がのり、グリーンに落ちてからのころがりが多い。そして、手に衝撃が感じられる。又、従来のパターは、ソール上のねらい線がフェース際から印されてある為、フェースの影で、見えづらく、さらに光が反射する為、ねらい線がちらついたりして、カップにねらいを定めにくかった。
【０００３】
〔発明が解決しようとする課題〕
しかも打撃に熟練を要する為、ゴルフをたしなむ人は、ごく一部の人達であり、出来るだけ多くの人達が親しめるように、使いやすいゴルフクラブを開発しようとするものである。
【０００４】
〔課題を解決する為の手段〕
本発明はフェースとソール間に空間部を形成する。
又はフェースを切り抜き、あるいはソールを切り抜いて、フェースとソール間に空間部を形成する。さらにその空間部よりねらい溝をハ状に形成することにより、記述の課題を解決したものである。
【０００５】
〔実施例〕
本発明のゴルフクラブは、図面１の図２に示すように、（１）フェースと（２）ソール間に（３）空間部を形成する。直その（３）空間部に弾力素材を圧入すれば、さらに、打感は良くなり飛距離も伸びる。
【０００６】
図面２の図２に示すように、（１）フェースの裏面に切り抜き溝を形成し、（１）フェースと（２）ソール間に（３）空間部を形成する。
【０００７】
図面２の図１に示すように（２）ソールの（３）空間部より（５）ハ状のねらい溝を形成する。
【０００８】
〔発明の効果〕
ゴルフアイアンは、フェースとソール間の空間部により、底が抜けている為、グリーンで、打ち込みやすく、抜けやすい。さらにその空間部により、弾力効果により飛距離が出るが、落下時点で窒息する為、ボールは、まっすぐに落ち、従来のものより、グリーンでのころがりが少ない。ゴルフパターは、フェースとソール間の空間部により、ハ状のねらい溝が形成されてある為光の入らない影の部分が出来、光が反射せず、よく見える。又、空間部により、フェースから離れて、形成されてある為、カップにねらいを定めやすく、さらに、方行性も良い。
【図面の簡単な説明】
【図面１の図１】本発明ゴルフアイアンの正面図
【図面１の図２】本発明、ゴルフアイアンの平面図
【図面１の図３】本発明、ゴルフアイアンの断面図
【図面２の図１】本発明ゴルフパターの裏正面図
【図面２の図２】本発明ゴルフパターの平面図
【図面２の図３】本発明のゴルフパターの側面図
【符号の説明】
１は、フェース
２は、ソール
３は  空間部
４は  ネック
５は、ハ状のねらい溝
６は、フェース裏面の切り抜き溝
【図１】
2004275700.tif 000002
【図２】
2004275700.tif 000003
【図３】
2004275700.tif 000004
【図１】
2004275700.tif 000005
【図２】
2004275700.tif 000006
【図３】
2004275700.tif 000007
【手続補正書】
【提出日】平成15年12月24日(2003.12.24)
【手続補正１】
【補正対象書類名】明細書
【補正対象項目名】図面の簡単な説明
【補正方法】変更
【補正の内容】
【図面の簡単な説明】
【図１】本発明ゴルフアィアンの正面図
【図２】本発明ゴルフアィアンの平面図
【図３】本発明ゴルフアィアンの断面図
【図４】本発明ゴルフパターの裏正面図
【図５】本発明ゴルフパターの平面図
【図６】本発明ゴルフパターの側面図
【符号の説明】
１は、フェース
２は、ソール
３は、空間部
４は、ネック
５は、八状のねらい溝
６は、フェース裏面の切り抜き溝


【手続補正２】
【補正対象書類名】図面
【補正対象項目名】全図
【補正方法】変更
【補正の内容】
【図１】
2004275700.tif 000008
【図２】
2004275700.tif 000009
【図３】
2004275700.tif 000010
【図４】
2004275700.tif 000011
【図５】
2004275700.tif 000012
【図６】
2004275700.tif 000013
(57)【要約】【課題】卓上に置いた状態で使用できる卓上爪やすりは、卓と爪やすりとの間の摩擦係数が低いと動き易く、片手のみでの使用は困難である。この点を改善し、より使いやすい卓上爪ヤスリを提供する。【解決手段】台付き卓上爪やすりの台部２の下面に、卓との間で摩擦係数が大きいゴム、布などの滑り止め４を設けることにより、片手での爪削りを可能とする。あるいは、台部２を摩擦係数の大きいゴムそのもので成形し、卓上での滑りを防止する。【選択図】  図１
2004275642.tif 000002
【特許請求の範囲】
【請求項１】
卓上などで使用する爪やすりにおいて、卓などと接触する底面部分の一部あるいは全体に滑り止め（４）を設けた爪やすり。
【請求項２】
卓上などで使用する爪やすりにおいて、爪やすりの台部（２）が摩擦係数の大きい材料でできた爪やすり。
【発明の詳細な説明】
【０００１】
【発明の属する技術分野】
本発明は、指の爪を削るために使用する爪やすりに関する。
【０００２】
【従来の技術】
手の不自由な人などにも使いやすい台付きの爪やすりについては、出願がある（例えば、未公開特許出願１参照）。このタイプの爪やすりは、爪やすりの下に木製の台部を設け、卓上などに置いた状態で使用するものである。
【０００３】
また、台付き爪やすりといっても、台部とやすり部を一体的に金属で作ったようなタイプのもの（例えば、未公開特許出願２参照）もある。これも卓上などに置いた状態で使用するものである。
【０００４】
【未公開特許出願１】特願２００２−３１６８４５（図１）
【未公開特許出願２】特願２００２−３１６８４５（図３）
【０００５】
【発明が解決しようとする課題】
従来の台付き爪やすりにおいては、爪やすりを卓の上などに置いた状態で使用するものであるが、例えば、先述の木製台付き爪やすりを使用する場合、もう一方の手で爪やすりを軽く押さえてやる必要がある。爪削りの力が水平方向にも働くため、爪やすりが動いてしまうためである。
【０００６】
台付き爪やすりといっても、先述のように一体的に金属でできたものもある。この場合はある大きさ以上となると重量があるため、通常の爪削り作業では動き難いが完璧ではない。大きな力を加えるとやはり動く欠点がある。
【０００７】
本発明は、こうした欠点を解消し、もう一方の手が不自由で爪やすりが押さえられなくても、片手のみで十分に使用できる爪やすりを提供することを目的としている。
【０００８】
【課題を解決するための手段】
上記の目的を達成するために、本発明の爪やすりにあっては、卓などと接する爪やすり台部の下面に摩擦係数の大きい材料を貼り付け、爪削りの力では水平方向に動かないようにするものである。
【０００９】
こうすることで、例えば、もう一方の手で押さえることができない人にとっても、片手での爪やすり使用を可能とするものである。
【００１０】
【発明の実施の形態】
発明の実施の形態を実施例にもとづき図面を参照して説明する。
【００１１】
図１は、木製の台部２の上面にやすり板を釘止めし、台部下面に滑り止め４を接着した構造としている。滑り止めには、篠原電機株式会社製のストレートパッキンを貼り付けた。
【００１２】
このストレートパッキンは、本来、配電盤の防水、防塵用のパッキンとして使用するものであるが、粘着テープで貼り付け可能な状態となっていること。厚さも３ｍｍと適当であること。また、スポンジ状のクロロプレンゴムでできているため、摩擦係数が大きく滑り止めとしての機能に優れているといった点から、これを使用した。
【００１３】
滑り止めを設けたことで、図１の木製の台付き爪やすりが、十分に片手使用できるようになったことは言うまでも無い。
【００１４】
図１の場合は、下面全体に渡って滑り止め４を設けているが、下面の四隅に滑り止めを設ける構造も、機能的には問題ない。
【００１５】
図２は、台部２の上面に直接やすり面５を設け、やすり部と台部とが一体的に構成された金属製の爪やすりの下面に、滑り止め４を貼り付けたものである。
【００１６】
滑り止めとしては、サンワサプライ株式会社のＯＡクロス（品番ＫＣＴ−００２ＢＵ）を用いた。貼り付けには、両面テープを使用したが、接着剤等を用いてもよい。
【００１７】
ＯＡクロスは通常は汚れの拭き取りに使用するものであるが、このクロスに使用する繊維は極細繊維や超極細繊維でできており、例えば本発明で使用したサンワサプライの製品は東レ株式会社の超極細繊維、商品名トレーシーを使用、一般的には布としての摩擦係数が大きく、滑り止めとしての機能も優れている。
【００１８】
摩擦係数の大きい布を下面に設けたことで、図２の爪やすりにおいても、片手での使用が確実なものとなった。
【００１９】
図３は、卓上などで使用する爪やすりを円盤状としたものである。この場合、台部２は木製、やすり部１は台部２へのはめ込みとし、台部の下面に滑り止め４を設けたものである。
【００２０】
滑り止めとしては、市販の比較的柔らかいゴム板（厚さ１ｍｍ）を切って接着材で貼り付けたものである。この場合も、滑り止めとしての機能を十分に果たした。
【００２１】
図４は、台部２を加硫ゴム製の弾性体としたものである。やすり部１はゴムを成形する時に加硫接着した。
【００２２】
このように、台部２を摩擦係数の大きい材料そのもので成形し、台部の下面の滑り止め機能を台部に持たせるようにしたものも、本発明の一部をなす。
【００２３】
この図４の例でも、滑り止めの機能は十分で、片手での使用を可能にした。
【図面の簡単な説明】
【図１】木製台付き卓上爪やすりの平面図（ａ）及び断面図（ｂ）である。
【図２】金属製卓上爪やすりの平面図（ａ）及び側面図（ｂ）である。
【図３】木製円盤状の台付き卓上爪やすりの平面図（ａ）及び断面図（ｂ）である。
【図４】ゴム製台付き卓上爪やすりの平面図（ａ）及び断面図（ｂ）である。
【符号の説明】
１  やすり部
２  台部
３  くぎ
４  滑り止め
５  やすり面
【図１】
2004275642.tif 000003
【図２】
2004275642.tif 000004
【図３】
2004275642.tif 000005
【図４】
2004275642.tif 000006
(57)【要約】【課題】野生山桜とサクランボとの接木を確実にすることで、サクランボの結実率を高め、病気に強い矮化栽培、及び観賞用盆栽木が得られるようにする。【解決手段】サクランボ（桜桃）の苗台木に野生山桜を使用し、サクランボの一年枝の成長の止まった芽を接ぎ木し、地植え用もしくは鉢植え用の苗木として育成する。【選択図】      図２
2004275154.tif 000002
【特許請求の範囲】
【請求項１】
サクランボ（桜桃）の苗台木に野生山桜を使用し接ぎ木し、地植え用もしくは鉢植え用の苗木として育成する栽培方法。
【請求項２】
野生山桜に接ぎ木する芽は、サクランボの一年枝の成長の止まった芽を接ぐことを特徴とする請求項１記載のサクランボの苗木の栽培方法。
【発明の詳細な説明】
【０００１】
【発明の属する技術分野】
本発明は、サクランボの苗木の育成方法に関し、結実と矮化栽培、及び観賞用盆栽木に利用するための栽培方法に関する。
【０００２】
【従来の技術】
従来は、さくらんぼの台木は同種または交配し育成されたコルト台などの台木を使用していた。さらに、従来のサクランボは前々年以降に伸びた枝に花芽がつき、休眠明けした翌年に開花し実がなるのが通常で、前年に伸びた枝には花芽はつかず、葉芽がつくのみで、花芽と結実は翌年だった。
【０００３】
育成方法、栽培方法としては、一般の露地植えと主に観賞用としての鉢植えがされているが、露地植えの苗木は高さ２ｍ前後のものが主流として畑もしくはハウスで栽培されている。観賞用などで市場性が注目されている盆栽用としての栽培も、ハウス内での従来方法では結実までに４〜５年はかかるのが通常で、その間に木の生長は進み盆栽としては矮化栽培が必要条件だった。
また、ある程度大きな実の収穫を望むため、３月から４月行う摘蕾や５月中・下旬頃行う適当な摘果も必要であった。
【０００４】
【発明が解決しようとする課題】
台木に穂木を接ぎ木して栽培する従来の育成方法では、木の成長のために養分が使われる徒長枝であり、実をつけるまでに約５年の期間が必要となっていた。確実に果実の収穫のできる木つまり発育枝となるまでの期間に木が大きくなりすぎ、品質のいいさくらんぼの盆栽はできていなかった。解決策として作業上・経済的にも矮化栽培の技術が必要とされ、従来の矮化栽培でも台木や接ぎ木の研究がなされてきた。
従来の栽培技術は次のような欠点があった。
（１）従来は、コスカシ病や胴枯病などの発生があった。
（２）隔年結実が生じていた。
（３）実を大きくするのに摘蕾・摘果・摘芯などの労力が必要とされた。
（４）ミツバチやマメコバチなどの訪花昆虫を使ったり人口受粉の必要があった。
【０００５】
【課題を解決するための手段】
本発明での、前記目的の達成のための手段は、次の構成である。サクランボ（桜桃）の苗台木に野生山桜を使用し接ぎ木し、地植え用もしくは鉢植え用の苗木として育成する栽培方法である。野生山桜に接ぎ木する芽は、サクランボの一年枝の成長の止まった芽を接ぐことを特徴とする。接ぎ方としては、秋の９月〜１０月頃の木の成長が止まっている時に接ぐ芽接ぎと、春先４月頃で木の成長時期に行う切り接ぎとがある。前者は一本の台木に何箇所も接ぐことができるのに対して後者は一回限りであり難しい接ぎ方であるため主に芽接ぎで行われる。盆栽用の鉢植えでの栽培方法は特に芽接ぎが有効である。芽接ぎされた芽は翌年には接いだ個所にふくらみのあるカルス（こぶ）ができ、開花し結実するようになる。
【０００６】
【発明の実施の形態】
本発明実施の形態について、図とともに具体的に説明する。図１〜図３において（ａ）は鉢植えでの栽培、（ｂ）は露地栽培を説明している。まずは図１（ａ）の鉢植えでの栽培である。鉢（１）に植えられた野生山桜の台木（２）の数箇所に一年枝の成長の止まった先端部のサクランボの芽の接ぎ木（３）を芽接ぎする。図２（ａ）は翌年春の花芽の出た頃の図である。サクランボの芽の接ぎ木（３）が伸び、芽接ぎ枝（５）の元で野生山桜の台木（２）と接する個所にふくらみのある芽接ぎカルス（６）ができてくる。芽接ぎ枝（５）の下部には花芽（８）が、接いだ翌年にもかかわらずでき、芽接ぎ枝（５）先端部には葉芽（９）がでてくる。図３は花芽（８）のあと実（１０）がなったところである。
【０００７】
このサクランボ（桜桃）の苗台木に野生山桜を使用した栽培方法での一番の特徴は、芽接ぎ枝（５）を接いだ個所すなわち野生山桜の台木（２）と接する個所にふくらんだカルス（こぶ）ができることである。接ぎ方により接いだ個所のこぶの形状も変わってくる。芽接ぎカルス（６）は芽接ぎ枝（５）の元に、図１（ｂ）の切り接ぎ木（４）を野生山桜の台木（２）に切り接ぎした場合は、接いだ切り口を覆い包み囲むように切り接ぎカルス（７）ができる。図２（ｂ）において、サクランボの切り接ぎ木（４）にサクランボの切り接ぎ枝（５ａ）を接いだ場合はカルスはできない。カルスはあくまで野生山桜の台木（２）にサクランボの芽の接ぎ木（３）をした場合である。さて、カルスの持つ優れた機能は、栄養を枝の先端まで送ったり止めたりする調節機能を備えている点である。従って枝が伸びすぎることがなく矮性になり矮化栽培が可能となるのである。カルスのもたらす効果として、訪花昆虫や人口受粉の必要もないこと。また、栄養調節ができることから実は大きく成長するため、摘蕾・摘果・摘芯などは必要ない。
【０００８】
サクランボの収穫量は、鉢植えの場合は収穫初年度で２０〜４０個、４年から５年目では１０００個以上が予想される。また、露地での栽培の場合でも通常の数十倍の収穫量が見込まれる。
【０００９】
【発明の効果】
（１）極度に矮性し、二年目より結実するので小型ハウス栽培ができ栽培効率が増し、生産性を上げることができる。
（２）結実した果実は大きく、食味も良く糖度が高く商品価値は高い。
（３）病気として恐ろしいコスカシ病や胴枯病の発生は皆無であるため、消毒などの必要性もなく安全性に優れ商品化率も高い。
（４）接木個所に健全なるカルスができ矮性になり、隔年結果がなく量産化できる。
（５）ミツバチやマメコバチなどの訪花昆虫や人口受粉の必要もないため、経費と労力の削減につながり、なおかつ受粉は完全で結実・着色ともによく市場での需要が見込まれる。
（６）盆栽仕立栽培は一ヶ月余り摘果可能で実も多く楽しく食味でき、市場価値が高い。
（７）実のなる盆栽として温床・予冷庫を利用しての不時栽培が可能であるため、端境期での出荷など、商品に付加価値をつけることができる。
【図面の簡単な説明】
【図１】野生山桜の台木にサクランボの芽を接ぎ木した説明図
【図２】野生山桜の台木にサクランボの芽を接ぎ木した翌年の説明図
【図３】接ぎ木した翌年にサクランボが結実した説明図
【図４】サクランボの接ぎ木の元にできたカルスの写真
【符号の説明】
１  鉢
２  野生山桜の台木
３  サクランボの芽の接ぎ木
４  切り接ぎ木
５  芽接ぎ枝
５ａ切り接ぎ枝
６  芽接ぎカルス
７  切り接ぎカルス
８  花芽
９  葉芽
１０実
【図１】
2004275154.tif 000003
【図２】
2004275154.tif 000004
【図３】
2004275154.tif 000005
【図４】
2004275154.tif 000006
(57)【要約】      （修正有）【課題】家庭菜園をオールシーズン楽しめるよう、夏には虫よけに、冬には温室として簡単・便利・安価に利用できる植木鉢用の虫よけの提供。【解決手段】透明なポリプロピレンを使って、上部は細かいネット状にした虫よけとする。植木鉢の形状に合わせて長方形または丸形として、どちらも大小大きさの違う植木鉢にも多用に被せられるように、縁を広くした。更に、風であおられて擦れないように風ストップをつける。冬も利用出来るように、虫よけの上に小さい空気穴だけをあけたおおいを被せ、簡易温室とする。【選択図】        図２
2004275155.tif 000002
【特許請求の範囲】
【請求項１】
大小違う鉢にも多用に利用できるよう、縁（ふち）を広くした。
【請求項２】
風で擦れないよう風ストップを作る。
【発明の詳細な説明】
透明なポリプロピレンを使って、上部は細かいネット状にし虫よけとする。縁（ふち）を広くしたことで多用に利用出来る。
小さい空気穴だけの図２に被せ、冬も利用出来るよう簡単温室とする。
【図面の簡単な説明】
【図１】平面図  長方形と丸型で鉢の上に置く
【図２】立体図  長方形と丸型で鉢の上に置く
【図３】立体図  図２の上に被せて温室とする
【図１】
2004275155.tif 000003
【図２】
2004275155.tif 000004
【図３】
2004275155.tif 000005
(57)【要約】【課題】ホタテ養殖等に使用される浮子に付着したフジツボ、カキ等の付着物を除去する清浄機を提供する。【解決手段】回転主軸の先端の連結器で付着物付着の浮子の耳部と連結ピンで連結し浮子の概ね中央下方を上方向きに浮子受台の角度付受材を左右に振り割けて複数本適当な間隔で固着し回転主軸が回転すれば浮子は浮子受台の角度付受材と滑合して回転することになり浮子の上面より切削刃体が回転し付着物除去機は回転主軸と同心を直交同心で回動する回動腕が支柱中央に軸支され付着物除去機は取付枠体に連結され取付枠体は回動腕に取り付けられて左右に回動して付着物を除去することが出来る。【選択図】        図１
2004275160.tif 000002
【特許請求の範囲】
【請求項１】
回転主軸の左右を架台に軸支し回転主軸先端連結器で付着物の付着している浮子の耳部を連結し浮子の概ね中央下方の外径に浮子受台に上向きに角度付受材を左右に振り割けて複数本固着し回転主軸が回転すれば浮子は浮子受台の内で角度付受材と滑合して回転する浮子の上方には刃体が回転して付着物を除去する付着物除去機を回転主軸と同心の直交同心で支柱中央に回動する回動腕が軸支され、回動腕には付着物除去機を連結した取付枠体を取り付け付着物除去機は左右に回動して付着物を除去して浮子の表面を清浄することを特徴とする浮子清浄機。
【請求項２】
請求項１の浮子清浄機において、回転主軸先端の連結器と付着物の付着している浮子の一方の耳部を連結し浮子の片方を放置し浮子の下方概ね中央に浮子受台に上向き角度付受材を左右に振り割けて複数本固着し回転主軸が回転すれば浮子は浮子受台の内で角度付受材と滑合して回転することを特徴とする浮子清浄機。
【請求項３】
請求項１の浮子清浄機において、浮子受台の角度付受材の内で回転する浮子の上方より回転主軸と同心の直交同心で支柱の中央に回動する回動腕が軸支され回動腕には付着物除去機を具備したことを特徴とする浮子清浄機。
【発明の詳細な説明】
【０００１】
【発明の属する技術分野】本発明は、ホタテ養殖等に使用される浮子に付着したフジツボ、カキ等の付着物を除去する清浄機に関する。
【０００２】
【従来の技術】従来から、浮子に付着したフジツボ、カキ等の付着物をなた等を使用し手作業で浮子の付着物の掻き取り除去作業を行っていた。また、特開平７−２８４３５９号による清浄機もあるが手で浮子を押さえるため危険性が高く、手間のかかる作業であった。また、特開平１１−３４２３７６号の清浄機もある。
【０００３】
【発明が解決しようとする課題】
浮子に付着したフジツボ、カキ等の付着物の種類を問わず安全に、作業効率よく浮子の大小に係わらず付着物除去を簡単にできる清浄機を提供することを目的とする。
【０００４】
【課題を解決するための手段】上記目的を達成するために講じた技術的手段は、回転主軸の左右を架台に軸支し回転主軸先端で付着物の付着している浮子の耳部を連結し浮子の概ね中央下方の外径に浮子受台に上向きに角度付受材を左右に振り割けて複数本固着し回転主軸が回転すれば浮子は浮子受台の内で角度付受材と滑合して回転する浮子の上方には刃体が回転して付着物を除去する付着物除去機を回転主軸と同心の直交同心で支柱中央に回動する回動腕が軸支され、回動腕には付着物除去機を連結した取付枠体を取り付けて付着物除去機は左右に回動して付着物を除去して浮子の表面を清浄することを要旨とする。
【０００５】
【作用】上記技術的手段によれば、下記の作用がある。
浮子を手で押さえることなく安全に付着物除去作業が行え、浮子の付着物切削除去は先ず浮子中央の付着物を除去し浮子表面と浮子受台の角度付受材と滑合させ後で左右両面を切削除去して、作業効率よく付着物を除去できる。
【０００６】
【実施例】本発明の実施例を図１乃至図３に基づいて説明する。図１、図２に示すように回転主軸２の左右を架台１７に軸支し回転主軸２先端で付着物の付着している合成樹脂製の中空で球形状に形成された浮子６の浮子耳部２３を浮子連結器９に連結ピン２１で連結し浮子６の下方に、浮子６の大きさに合わせて受台伸縮ガイド１３に浮子受台３が上下移動可能にガイドされ、浮子受台３に上向きに角度付受材７を左右に振り割けて複数本固着し速度調整可能な回転主軸２が回転すれば浮子６は浮子受台３の内で角度付受材７と滑合し浮子６の表面を清浄する。回転する浮子６の上方には回動腕１５に付着物除去機４を連結した取付枠体１９を取り付け調整器１６を介し吊り下げスプリング２０で吊した付着物除去機４の刃体２２がモーター８で回転して付着物を除去する付着物除去機４を回転主軸２と同心を直交同心で回動する。回動腕１５を支柱中央に軸支され、付着物除去機４は左右に回動して付着物を除去して浮子６の表面を清浄する。また、浮子６の大きさに合わせて調整時には架台１７は左右に、付着物除去機４の連結した取付枠体１９は上下に浮子受台３は上下に移動調整可能である。
【０００７】
【発明の効果】本発明は以上のように構成したから下記の利点がある。
回転する浮子の上面に回動腕に取り付けられた付着物除去機を浮子の左右を移動すれば付着物は切削除去され作業時間が短縮され作業効率もよく、安全で作業する人も楽である。付着物を除去できる。また、浮子の一方を回転主軸に連結し片方を放置し浮子の表面概ね中央下方に浮子受台に上向きに角度付受材を具備したので浮子と角度付受材と滑合による浮子の回転で心の振れも少なく、上部より付着物除去機の浮子に掛かる荷重も調整器で適正な調整可能浮子押え力もあり付着物の種類による付着物除去は容易に出来る。
【図面の簡単な説明】
【図１】本発明の実施例の側面図を示す。
【図２】本発明の実施例の正面図を示す。
【図３】本発明の実施例の浮子連結器を示す。
【符号の説明】
１  取付台
２  回転主軸
３  浮子受台
４  付着物除去機
５  安全カバー
６  浮子
７  角度付受材
８  付着物除去用モーター
９  浮子連結器
１０  回動腕軸支の支柱
１１  回動腕軸支
１２  付着物除去機の連結軸
１３  受台伸縮ガイド
１４  固定ボルト
１５  回動腕
１６  調整器
１７  架台
１８  レバー
１９  取付枠体
２０  吊り下げスプリング
２１  連結ピン
２２  刃体
２３  浮子耳部
２４  ライナ
２５  回転主軸用モーター
２６  軸支ベアリング
２７  回転伝動チェーン
【図１】
2004275160.tif 000003
【図２】
2004275160.tif 000004
【図３】
2004275160.tif 000005
(57)【要約】      （修正有）【課題】独特の臭みを解消し、摂取機会が限定されない、無臭にんにくの提供。【解決手段】皮付きにんにく（自然に剥がれる皮は除去）を、ゆでる、煮る等の操作によって加熱し、無臭にしてから、裏ごし機、ミキサー等ですりつぶし、菓子、ソバ、ジュース類等の他の食品に添加、利用しやすくする。【選択図】なし【特許請求の範囲】
【請求項１】
皮付にんにくを丸ごと（自然に剥ける皮は除去）ゆでる（煮る）等して熱を加えて無臭にんにくを作る。熱の加減により風味を加減する。
【請求項２】
無臭にんにくを裏ごし機、ミキサー等ですりつぶす。
【請求項３】
他食品に（その製造過程等で）無臭にんにくを加え、その原材料、成分表等に、にんにくの名称、データ等を明記する。
【発明の詳細な説明】
【発明の詳細な説明】
【０００１】「発明の属する技術分野」
本発明は、安価でその上健康に大変優れているにんにくの摂取量を増大させるために、ゆでる等熱を加えて無臭にんにくを製造し、それをすりつぶして多くの他食品に原料の一部として加える事で摂取する機会を自然とそして大幅に増やす方法を考えたものである。
【０００２】「従来の技術」
従来はにんにくの持つ独特の臭みのため、調理方法が限定され、またそれを調理／食後の体中、吐息、手等に強く残る臭みもあり、健康によい事は知れ渡っていたにもかかわらず、それ故、摂取する機会が限られていた。
【０００３】「発明が解決しようとする課題」
安価で健康にも最適のにんにくが、にもかかわらず、その独特の臭みのため摂取される機会が限られ、従って、摂取量も限られてきたという難点課題を解消のためにこの発明が為されたものである。
【０００４】「課題を解決するための手段」
皮付にんにく（自然に剥ける皮は除去）をゆでる等熱を加えて無臭にしてから皮を取り、すりつぶし、多くの他食品に加える事により、摂取する機会が自然と多くなる方法を考えた。
【０００５】「発明実施の形態」
以下、本発明の実施の形態について説明する。
（イ）．皮付きにんにく（自然に剥ける皮は除去）をゆでる（煮る）等熱を加えて無臭にんにくを作る。熱の加減により風味を加減する。
（ロ）．分離した皮を除去し、ミキサー、裏ごし機等ですりつぶして、菓子、ソバ、ジュース類等多くの他食品にその製造過程等で、原料の一部として加える。
【０００６】「発明の効果」
体中、吐息、手等に悪臭を全く残さず、刺激が少なく、年齢に関係なく広く深く静かにしかも確実に、毎日気兼ねなく健康に優れたにんにくを摂取する事が出来、知らぬ間に健康の蓄積がなされ健康のより維持・より促進に大いにつながる。
(57)【要約】【課題】家の中で草花を清潔に楽しみ廃棄をしやすい全てをパックにした植物栽培キットを提供する【解決手段】紙の筒の中に全て紙で植物を栽培するキットをセットし簡単に草花を楽しむことができることを特徴とする。【選択図】    図２
2004275165.tif 000002
【特許請求の範囲】
【請求項１】
紙の筒でできた植木蜂に和紙で砂利大に固めた紙を包み中央に小さい筒の中に種を入れた綿状の紙を入れ植物の成長に必要な固形肥料もセットされた卓上の植物栽培キットである。
【発明の詳細な説明】
【０００１】
【発明に属する技術分野】
室内でいかに清潔に植物栽培ができるか考慮したものである。
【０００２】
【従来の技術】
植物の栽培には従来は室内にあっても土またはそれに類するもの使っていた、又、植木蜂など異種の素材を使っている。
【０００３】
【発明が解決しようとする課題】
これは次のような欠点があった
イ、  土等を使用するため土埃等で室内が汚れる
ロ、  土等に虫がわく
ハ、  草花を楽しんだ後その処理に困る
ニ、  草花をうまく育てる為の施肥が大変である
本発明はこれらの欠点を除くためになされたものである
【０００４】
【課題を解決するための手段】
径１０ｃｍぐらい高さ１２ｃｍぐらいの紙筒（ボイド）でできた鉢の中に土の代りに粉砕した紙を砂利大に固めた固形肥料とを入れ和紙で包み、中央に親指大の穴のあいた紙の筒をセットしその中に綿上にした紙と種子を入れてある。
本発明は以上の構成に依る全て紙でできた植物栽培キットである。
【０００５】
【発明の実施形態】
以下本発明の実施形態について説明する。
（イ）本品の中央の筒に２〜３日に１度盃いっぱい程度の水を注ぐ。
種子の発芽に必要な水分は綿上の紙に滞留し余った水は横の穴より外に出て砂利状に固めた紙に染み込みそれがだんだんに溶ける。
（ロ）発芽した根は大きくなると上の小さな筒を破って根を伸ばし肥料による養分をすって根を張り草花を楽しむことができる。
（ハ）表面を和紙で包んでいるので中の物が外へこぼれ散らない。又、中部の水分も和紙によって乾燥しにくくなり虫もつきにくい。
（ニ）草花を楽しんだあとは庭のある家庭ではそのまま庭へ埋めてしまえば土に還る。庭のない過程では数日乾かして燃えるゴミとして廃棄する。又、市場が広がれば回収して再生することも考えられる。
【０００６】
【発明の効果】
このように卓上、又は家の中で埃、虫に気をつかわず植える前、発芽後の施肥をせず草花を簡単に楽しむことができる上廃棄にしても全て紙でできている為、分別したりする必要がなく将来は回収再生の道も考えられる。
【図面の簡単な説明】
【図１】本発明の全体図である。
【図２】本発明の断面図である。
【図１】
2004275165.tif 000003
【図２】
2004275165.tif 000004
(57)【要約】【課題】固形の経口摂取用組成物では摂取する際に手間がかかり、摂取するという義務化した感覚になってしまうため、液状化の経口摂取用組成物にして、飲料、食品等に混ぜても摂取できるような経口摂取用液体を提供することにある。または飲料や食品等に加えても味を変化させない酸味のない経口摂取用液体、またはミネラルを高濃度に含有させることで少量化を図り、携帯性にすぐれた経口摂取用液体を提供することにある。【解決手段】飲料、食品等を食するときに簡単に添加できるように、ミネラル、例えばカルシウム、マグネシウム、カリウム、ナトリウム、鉄、ゲルマニウム、セレン等はそのままでは水に溶けにくいものもあるので、塩または有機金属化して溶解度を高め、ミネラル溶液を作成する。また味を変化させないように中性付近にｐＨを調整する。また高濃度のミネラル溶液を作成して携帯性にすぐれた経口摂取用液体とする。【特許請求の範囲】
【請求項１】
ミネラル、例えばカルシウム、マグネシウム、カリウム、ナトリウム、鉄、ゲルマニウム、セレン等の塩または有機金属化して溶解度を高めてミネラル溶液を作成し、飲料、食品等を食するときに簡単に添加できることを特徴とする経口摂取用液体
【発明の詳細な説明】
【０００１】
【発明の属する技術分野】
本発明は生体内における種々の反応に関係している成分であるミネラルの経口摂取用液体に関するものである。
【０００２】
【従来の技術】
従来の経口摂取用組成物にはカルシウムやマグネシウム等の塩基性ミネラルに有機酸や甘味料を添加した固形物がある（例えば、特許文献１参照。）。
【０００３】
また植物に含まれるミネラルを植物を鉱化させることにより回収し鉱化天然複合体、つまりは経口摂取用組成物としているものもある（例えば、特許文献２参照。）。
【０００４】
【特許文献１】特開平１１−８９５４１号公報（第２−３頁）
【特許文献２】特開平１１−２４３９１５号公報（第２−３頁）
【０００５】
【発明が解決しようとする課題】
特開平１１−８９５４１号公報の固形の経口摂取用組成物では摂取する際に手間がかかり、摂取するという義務化した感覚になってしまう。また、有機酸や甘味料を加えてあるため個人差により好き嫌いが出てくるという問題点があった。
【０００６】
また特開平１１−２４３９１５号公報の経口摂取用組成物は植物を鉱化させて製造するため、植物の個体差でミネラルの含有量が違うことがあり、品質の安定性はとれていない。また、疑似胃液としてｐＨ１で３７℃での溶解度を示してあるが、こんなに強い酸性液でも１．５４ｇ／リッターしか溶解していない。これでは飲料、食品等に混ぜても固形物のままで残ってしまい、効率よく摂取することはできない。
【０００７】
固形の経口摂取用組成物では摂取する際に手間がかかり、摂取するという義務化した感覚になってしまうため、液状化の経口摂取用組成物にして、飲料、食品等に混ぜても摂取できるような経口摂取用液体を提供することにある。または飲料や食品等に加えても味を変化させない酸味のない経口摂取用液体、またはミネラルを高濃度に含有させることで少量化を図り、携帯性にすぐれた経口摂取用液体を提供することにある。
【０００８】
【課題を解決するための手段】
飲料、食品等を食するときに簡単に添加できるように、ミネラル、例えばカルシウム、マグネシウム、カリウム、ナトリウム、鉄、ゲルマニウム、セレン等はそのままでは水等に溶けにくいものもあるので、塩または有機金属化等して溶解度を高め、ミネラル溶液を作成する。また味を変化させないように中性付近にｐＨを調整する。また高濃度のミネラル溶液を作成して携帯性にすぐれた経口摂取用液体とする。
【０００９】
【発明の実施の形態】
実施の形態１．
この発明の実施の形態１の経口摂取用液体は、まず水酸化ナトリウム水溶液１から３０重量％、好ましくは１０から２０重量％を作製する。次にβ−カルボキシエチルゲルマニウムセスキオキサイド１００重量部と水１００重量部を攪拌して懸濁させる。次に懸濁液に水酸化ナトリウム水溶液を徐々に加え、β−カルボキシエチルゲルマニウムセスキオキサイドを溶解させる。溶解はｐＨ６からｐＨ８の間で溶解を終了させる。後、水を加えて５００重量部とする。この溶液を小容器、例えばドロップ栓付き容器、ホールキャップ付き容器、ポンプ容器、スプレー容器等に充填すれば飲料、食品等を食するときに簡単に添加でき、また味を変化させず、また携帯性にすぐれた実施の形態１の経口摂取用液体となる。
【００１０】
実施の形態２．
この発明の実施の形態２の経口摂取用液体は、カルシウム剤として乳酸カルシウムを使用し、乳酸カルシウム８重量部と塩化マグネシウム１０重量部に水８２重量部を加え加熱し溶解させる。この溶液を小容器、例えばドロップ栓付き容器、ホールキャップ付き容器、ポンプ容器、スプレー容器等に充填すれば飲料、食品等を食するときに簡単に添加でき、また携帯性にすぐれた実施の形態２の経口摂取用液体となる。
【００１１】
【発明の効果】
本発明の経口摂取用液体は液体であるため、様々なものと混ざりやすい。または高濃度であるため加える量も少なくて済む利点があります。またはｐＨを中性付近に調整しているため、もとの味を変化させない、あるいは損なうことがありません。